(57)【特許請求の範囲】
【請求項１】
全体がシステム制御回路によって制御され、入力するデータをカセットに納められたテープ上に記録し、該テープ上に記録されたデータを再生して出力することのできる磁気記録再生装置において、
上記磁気記録再生装置は内蔵メモリを備え、
上記カセットは内蔵メモリを備え、
記録時に、上記テープ上にファイル単位でデータを記録するとともに、記録した全ファイルの管理情報を含むファイル管理情報を記録し、上記カセットの内蔵メモリには所定数以下のファイル管理情報と少くとも更新情報を含むテープ管理情報を記憶し、更に、上記磁気記録再生装置の内蔵メモリには必要に応じて所定ファイル数に相当するテープ管理情報とファイル管理情報を記憶し、
再生時に、上記システム制御回路は、まずカセットの内蔵メモリの内容を読み、所定ファイル数以内ならばその内容をファイル管理情報及びテープ管理情報とし、所定ファイル数を越えていれば、上記磁気記録再生装置の内蔵メモリのテープ管理情報と、カセットの内蔵メモリのテープ管理情報とが一致していれば上記磁気記録再生装置の内蔵メモリの内容をファイル管理情報及びテープ管理情報とし、一致していなければ、装填されているテープ上からファイル管理情報及びテープ管理情報を再生して得るようにしテープ上からテープ管理情報及びファイル管理情報を取得した場合上記磁気記録再生装置の内蔵メモリに新たなカセットのテープ管理情報及びファイル管理情報として記録するようにしたことを特長とする磁気記録再生装置。
【請求項２】
請求項１に記載の磁気記録再生装置において、前記テープ上に記録するテープ管理情報は、データファイルが記録される毎にその後尾に記録され、それ以前に記録された全ファイルの目次を含むようにした磁気記録再生装置。
【発明の詳細な説明】
【０００１】
【発明の属する技術分野】
本発明は、磁気記録再生装置に関する。
【０００２】
【従来の技術】
テープ記録再生装置において、記録日時、記録装置のシリアル番号、及び最新のＴＯＣの位置、全ファイル数等の記録更新情報や、そのテープがどの様なフォーマットで記録されているか、及びテープラベル等のテープ全体に関わるテープ管理情報と、そのテープに何のデータが何処に記録されているか判別し特定可能なファイル管理情報をまとめて何らかの方法で記録することは再生時の検索やデータの特定に非常に有効であり、既に以下のような方式で実用化されている。
【０００３】
１，テープの特定箇所にテープ管理情報及びファイル管理情報をまとめて記録する。
２，テープカセット内にメモリＩＣを装備し、そのメモリにテープ管理情報及びファイル管理情報をまとめて記憶する。
【０００４】
【発明が解決しようとする課題】
上記１の方法は、極めて大量のテープ管理情報及びファイル管理情報を記録することが可能であり、テープに記録されるデータの種類及びファイル数に対する制限はほとんどないが、テープにデータを記録した後、テープをＥＪＥＣＴ（排出）する前に、そのテープ管理情報及びファイル管理情報を記録する必要がありテープ管理情報及びファイル管理情報記録のために記録すべきテープ位置への移動（サーチ）に多大な時間を要する。
【０００５】
また、再生時には、そのテープ管理情報及びファイル管理情報を読み出す必要があり、サーチと再生の時間を要する。サーチを容易にするために、一般にこれらの情報はテープの先頭に書かれＬＯＡＤ／ＥＪＥＣＴは常にテープ先頭で行われる。
【０００６】
上記２の方法は、テープのローディングやＥＪＥＣＴの時、瞬時にテープ管理情報及びファイル管理情報を記憶／読み出しできるため、上記１のようにサーチや記録／再生時間をなくすことができる。しかしながら、そのメモリＩＣの記憶容量は限られたものであるから、記憶するファイル数に制限がある。
【０００７】
本発明は、上記の欠点を改善したテープ管理情報及びファイル管理情報の記録／再生方法を提供することを課題とする。
【０００８】
【課題を解決するための手段】
上記の課題を解決するために、本発明の磁気記録再生装置は、全体がシステム制御回路によって制御され、入力するデータをカセットに納められたテープ上に記録し、該テープ上に記録されたデータを再生して出力することのできる磁気記録再生装置において、上記磁気記録再生装置は内蔵メモリを備え、上記カセットは内蔵メモリを備え、記録時に、上記テープ上にファイル単位でデータを記録するとともに、記録した全ファイルの管理情報を含むファイル管理情報を記録し、上記カセットの内蔵メモリには所定数以下のファイル管理情報と少くとも更新情報を含むテープ管理情報を記憶し、更に、上記磁気記録再生装置の内蔵メモリには所定ファイル数に相当するテープ管理情報とファイル管理情報を記憶し、再生時に、上記システム制御回路は、まずカセットの内蔵メモリの内容を読み、所定ファイル数以内ならばその内容をファイル管理情報及びテープ管理情報とし、所定ファイル数を越えていれば、上記磁気記録再生装置の内蔵メモリのテープ管理情報と、カセットの内蔵メモリのテープ管理情報とが一致していれば上記磁気記録再生装置の内蔵メモリの内容をファイル管理情報及びテープ管理情報とし、一致していなければ、装填されているテープ上からファイル管理情報及びテープ管理情報を再生して得るようにする。そうして、テープ上からテープ管理情報及びファイル管理情報を取得した場合上記磁気記録再生装置の内蔵メモリに新たなカセットのテープ管理情報及びファイル管理情報として記録するようにする。
【０００９】
【発明の実施の形態】
測定対象が複雑化し、大規模化するに伴って、それらのデータを記録再生する装置の多チャンネル化、高速化、大容量化が要求される。しかしながら、これらの３つの条件を全て満たす記録再生装置を得ることは容易なことでない。
【００１０】
本発明の磁気記録再生装置は、大容量のデータを低コストで記録するという観点から記録媒体として磁気テープを用い、これを高速で動作させるものである。この要求に答える装置として、従来、データストリーマと呼ばれる高速・大容量記録再生装置がある。
【００１１】
この装置は、コンピュータのデータをカセットテープ（例えば、８ｍｍテープ）にバックアップする用途に合わせて開発されたもので、高速・大容量であることはもとより、テープカセットとして、出力・信頼性・耐久性に優れた蒸着テープを用い、内部にデータ検索や高速アクセスのためのメモリを内蔵している。
【００１２】
本発明の磁気記録再生装置は、上記データストリーマの優れた性能を生かし、かつ、テープ及びテープ上に記録されたファイルの管理に要する時間の短縮を計って、使いやすい磁気記録再生装置を実現しようとするものである。
【００１３】
このため、記録再生装置は、以下の３つの記憶（記録）を採用し、それらの特徴を生かして最も早くアクセスできるものを使うことによりテープ管理情報及びファイル管理情報へのアクセス時間を短縮するものである。
【００１４】
（ａ）テープ上にテープ管理情報及びファイル管理情報を記録する。
（ｂ）テープカセットに設けられたメモリＩＣにテープ管理情報及びファイル管理情報を記憶する。
（ｃ）磁気記録再生装置内のメモリにテープ管理情報及びファイル管理情報を記録する。
【００１５】
まず、図１を参照して、本発明の一実施形態による磁気記録再生装置のシステム構成について説明する。
同図に示すように、システムは、チャンネル１ＣＨ〜ｎＣＨの記録系回路１、チャンネル１ＣＨ〜ｎＣＨの再生系回路２、マルチプレクサ／デマルチプレクサ３、信号処理回路４、記録ヘッド／再生ヘッド／テープ５、カセット装着部回路６、テープ駆動回路のサーボ系回路１２，７、信号処理系コンピュータ８、システム制御回路９、メモリ１０、ディスプレイ／キー‥‥‥等１１及び不揮発性メモリ１２を有している。
【００１６】
システム全体の制御はシステム制御回路９によって行われ、入力チャンネル１ＣＨ〜ｎＣＨから入力した計測データ信号は、記録系の回路（レベル調整、Ａ／Ｄ変換等を含む）を通してマルチプレクサ／デマルチプレクサ３に並列に送られ、ここで時分割多重化信号に変えられて、信号処理回路４に送られ、ここで、同期信号、モータサーボ信号等の他の制御信号とともに信号処理されて、その結果が磁気テープ上に記録される。
【００１７】
磁気テープ上に記録された信号は、再生ヘッドで読み出され信号処理回路４で信号処理され、マルチプレクサ／デマルチプレクサ３で各チャンネルのデータに分配され、再生系の回路（Ｄ／Ａ変換、レベル調整等を含む）を通って出力チャンネル１ＣＨ〜ｎＣＨから取り出される。
【００１８】
この磁気記録再生装置は、ディスプレイ装置、キー入力、コンピュータとのインターフェース等の回路１１及びメモリ１０及び不揮発性メモリ１２を備えている。従って、システム制御回路９はこの装置内蔵の不揮発性メモリ１２に対して読み書きができるとともに、テープカセットに内蔵されたＩＣメモリに対する読み書き、テープ上への信号の記録及びそこからの信号の再生ができる。
【００１９】
上記のシステム構成を持つ磁気記録再生装置において、上記テープ上、カセット内蔵メモリＩＣ上、及び記録再生装置内蔵の不揮発性メモリ１２にテープ管理情報、ファイル管理情報等を書き込み読み出すことにより記録したデータの管理を行う方法について説明する。
【００２０】
まず、上記（ａ）に記したテープ上にテープ管理情報及びファイル管理情報を書き込む場合について説明する。テープ上にファイルを記録する毎にそのファイルの最後尾にそのファイル以前のファイルのテープ管理情報及びファイル管理情報を記録する。この方法で、テープ１巻に対して、そのテープに記録された全ファイルの管理情報を記録する。テープは記録容量が大きいので多くのファイル管理情報（ファイルの目次情報）を書くことができる。
【００２１】
テープ上へのファイル管理情報の記録の方法は図３に図示するとおりである。即ち、記録するデータはファイル単位でまとめ、テープの頭から記録する。一つのファイルを記録し終わると、そのファイルのすぐ後に、そのファイルも含めて、それ以前のファイル全部についてのファイル管理情報を記録する。更に、テープ管理情報も記録してもよい。この記録部分をＴＯＣと呼ぶ。
このようにいくつもの管理情報を残す理由は、最新のファイル管理情報が何らかの理由（テープダメージ等）で読めなくなっても、その１ファイル前までは再生できるようにするためである。
【００２２】
ファイル１はそれ以前にファイルが無いので、このファイルの後にはファイル１のファイル管理情報のみを記録する。ファイル２を記録し終わったときには、テープ上には、ファイル１とファイル２が存在するので、ファイル２の後には、ファイル１とファイル２についてのファイル管理情報を記録する。同様にしてファイル３の後にはファイル１〜３のファイル管理情報を記録する。
【００２３】
この方法は、ファイル記録後にファイル管理情報を記録した直後にテープを巻き戻さずにテープＥＪＥＣＴができる。記録時にはデータの記録されている場所をサーチする必要はないが、ローディング時にはテープ管理情報及びファイル管理情報を読み出すために、そのデータが記録されている場所をサーチする必要があり、データを取り出すのに時間がかかる。
【００２４】
ところで、記録媒体としてテープが用いられる場合には、そのテープは図４に図示するようなカセット内に納められており、そのカセット内にはメモリＩＣが設けられている。従って、（ｂ）として、このメモリＩＣにテープ管理情報及びファイル管理情報を書き込むことについて説明する。
【００２５】
本実施形態では、上記のメモリＩＣには、そのテープ１巻に記録されるファイルのうちの２０ファイルまでのテープ管理情報及びファイル管理情報を記録することができる。もし、テープ上に記録されたファイルの数が２０ファイルを越えた場合は、最新のファイルについてのテープ管理情報を記録する。
【００２６】
このメモリＩＣは、磁気記録再生装置のシステム制御回路で読むことができ、サーチに要する時間がほとんどかからないが、記憶容量が小さいので多くの情報を蓄えておくことはできない。
【００２７】
上記の説明から明らかなとおり、テープ上には沢山のテープ管理情報及びファイル管理情報を記録できるが検索に時間がかかり、テープカセット内蔵のメモリＩＣ上には少ししかテープ管理情報及びファイル管理情報を記録できないが検索に要する時間は極めて短い。従って、この両者の特徴を生かせるように、記録する管理情報を決めるのが好ましい。
【００２８】
以上は、１つのカセットのフォーマットや更新情報を示すテープ管理情報とどんなデータがどの位置に入っているかを示すファイル管理情報の記録の仕方であるが、磁気記録再生装置（データレコーダ）に装着するカセットはただ１つだけではなく、複数のカセットを交換して装着するので、今どのテープカセットが装着されていて、そのテープには何が記録されているかを即座にわかる装置が望まれる。
【００２９】
この要求に答えることのできるメモリとして、上記（ｃ）に記した磁気記録再生装置に内蔵された不揮発性メモリ１２がある。このメモリには、その磁気記録再生装置に過去に装着されテープ管理情報及び管理情報を記録または取得したカセットのうち最近装着されたカセット２００００ファイル分の管理情報を記憶することができるようになっている。
例えば、１巻１０ファイルなら２０００巻、１巻１００ファイルなら２００巻になる。
【００３０】
尚、カセットの内蔵メモリが所定ファイル数（本実施例では２０）以内であれば、即ち、全ファイルのテープ管理情報及びファイル管理情報がカセットの内蔵メモリに収まっている場合には、磁気記録再生装置内のメモリにはテープ管理情報及びファイル管理情報を記録する必要はない。
【００３１】
以上、３個所に記憶又は記録される情報の量は、例えば、下記のとおりに選ばれる。
・テープ：テープ一巻のテープ管理情報及びテープ一巻全ファイル分のファイル管理情報
・カセット内メモリＩＣ：テープ一巻のテープ管理情報及びテープ一巻中２０ファイル分のファイル管理情報
・磁気記録再生装置内メモリ：最新の２００００ファイル相当のカセット巻数のテープ管理情報及び最新の２００００ファイル相当のファイル管理情報
【００３２】
次に、テープ管理情報の取得のための動作について、図２を参照して、説明する。
ステップＳ１で動作開始し、ステップＳ２で、テープカセットを、本実施形態による磁気記録再生装置に装着する。ステップＳ３に進み、装着したテープカセットに内蔵されたメモリの内容を読み取り、そのカセット内に記録されているファイルの数が２０以下であるか否かを検出する。
【００３３】
もし、そのカセットのテープ上に記録されたファイルが２０個以下ならば、ステップＳ５に進んで、カセット内蔵メモリの内容をテープ管理情報及びファイル管理情報として使用するためシステム制御回路に読み込む。その後、ステップＳ１１に進んで終了する。
【００３４】
もし、そのカセットのテープ上に記録されたファイルの数が２０個を越えていれば、ステップＳ６に進んで、磁気記録再生装置に内蔵のメモリを読み取る。このメモリには最近使用した最新２００００ファイル分までのテープ管理情報及びファイル管理情報が記憶されているので、ステップＳ７で現在装填されているカセットの内蔵メモリのテープ管理情報がこの磁気記録再生装置の不揮発性メモリ１２の内容と同じであるかどうかを検出し、同じであれば、ステップＳ９に進んでこのメモリの内容をテープ管理情報及びファイル管理情報として使用するためにシステム制御回路に読み込みＳ１１で終了する。詳細に説明すると、カセット内蔵メモリの更新情報から最後の記録が、いつ、どの装置で行われたかをチェックし、装置内蔵メモリの該当するカセットの更新情報が同じかどうかをチェックする。同じならその情報は有効。異なっていたら、この装置で読んだ後に他の装置で記録されているから、磁気記録再生装置内の不揮発性メモリの内容は無効と判定される。
【００３５】
装填されたカセットの内蔵メモリのテープ管理情報が磁気記録再生装置の不揮発性メモリ１２に含まれていないか、又は、含まれていても異なっていれば、ステップＳ８に進んで、そのカセットの内蔵メモリのテープ管理情報から最新ＴＯＣの位置を取り込み、その位置情報に従ってテープを検索し、テープに記録されたファイルの最後尾に記録されたファイル管理情報をシステム制御回路に読み込む。その後、ステップＳ１０に進んで得られたテープ管理情報及びファイル管理情報を磁気記録再生装置内の不揮発性メモリに新しいカセットの情報として記録し、Ｓ１１に進んで動作終了する。
【００３６】
上記の方法でテープ管理情報及びファイル管理情報を得ることにより、テープ一巻に記録されるファイル数が少ない場合や、通常使用するカセットの数が少ない用途に使う場合はカセット内メモリだけか、磁気記録再生装置内蔵のメモリを使うことで済み、テープ管理情報及びファイル管理情報へのアクセスが非常に早くなる。頻繁に使用される全カセットの総ファイル数が２００００ファイル以上になることはあまりないとすれば、その２００００ファイルを越えた分のカセットについて、テープ上に記録されたテープ管理情報及びファイル管理情報を再生して得ても全体的にみれば、さほど大きな時間ではない。
【００３７】
以上、本発明について、一実施の形態の説明をしたが、ここで用いた数値は単なる例示に過ぎないことを理解すべきである。また、テープ管理情報として何を記録するかについても、本発明の技術思想の範囲内で改変ができることは言うまでもない。
【００３８】
【発明の効果】
本発明の磁気記録再生装置は、上記の構成を備えていることにより、再生時に、テープ管理情報が最も速く取得できるものを選択することで、ローディングやＥＪＥＣＴ時、サーチを極力回避し、検索時間を減少させることができ、違和感のないテープローディング、ＥＪＥＣＴ、テープ管理情報の記録再生を実現できる。
【図面の簡単な説明】
【図１】本発明の一実施形態による磁気記録再生装置のシステム構成図である。
【図２】本発明の一実施形態による磁気記録再生装置の動作フローチャートである。
【図３】本発明の一実施形態による磁気記録再生装置に適用されるテープ上の記録フォーマットを示す線図である。
【図４】本発明の一実施形態による磁気記録再生装置に適用されるテープカセットの外観図である。
【符号の説明】
１  記録系回路、２  再生系回路、３  マルチプレクサ／デマルチプレクサ、４  信号処理回路、５  テープカセット装着部、６  ヘッド回転・キャプスタンモータのサーボ回路、７  サーボ系制御コンピュータ、８  データ処理用コンピュータ、９  システム制御回路、１０  メモリ
【図１】
0003568347.tif 000002
【図２】
0003568347.tif 000003
【図３】
0003568347.tif 000004
【図４】
0003568347.tif 000005